(57)【要約】【課題】簡易な構成で確実に回路保全及び試験用の擬似回路を形成することが出来る補助リレー用アダプタを提供する【解決手段】補助リレーとソケットの間に位置して前記補助リレー及びソケットを接続する補助リレー用アダプタにおいて、前記補助リレーの端子と嵌合するようにアダプタケースの上面に設けられたメス型端子と、前記ソケットの端子と嵌合するようにアダプタケースの底面に設けられたオス型端子を備え、前記アダプタケースの上面には前記補助リレーを前記アダプタから取り外す際に開放状態となり、前記アダプタ内の第一接点を閉じる押圧式スイッチを備え、さらに前記アダプタケースの一側面には、前記アダプタ内の第二接点の開閉を選択できる手動スイッチを備える。【選択図】図１
2013020861.tif 000002
【特許請求の範囲】
【請求項１】
補助リレーとソケットの間に位置して前記補助リレー及びソケットを接続する補助リレー用アダプタにおいて、前記補助リレーの端子と嵌合するようにアダプタケースの上面に設けられたメス型端子と、前記ソケットの端子と嵌合するようにアダプタケースの底面に設けられたオス型端子を備え、前記アダプタケースの上面には前記補助リレーを前記アダプタから取り外す際に開放状態となり、前記アダプタ内の第一接点を閉じる押圧式スイッチを備え、さらに前記アダプタケースの一側面には、前記アダプタ内の第二接点の開閉を選択できる手動スイッチを備えたことを特徴とする補助リレー用アダプタ。
【発明の詳細な説明】
【技術分野】
【０００１】
本発明は、補助リレーに用いられるアダプタに関し、特にテストスイッチを設けると共に、回路保全を容易にしたアダプタに関する。
【背景技術】
【０００２】
従来より、変電所や工場設備等に設置される配電盤内には、補助リレーユニットと呼ばれる制御リレーユニットが多数使用されている。補助リレーユニットは、補助リレーとソケットにより構成されており、これらは、補助リレーに設けた複数のオス型端子を、それらと対応するようにソケットに設けられたメス型端子に嵌合させることで所定の回路を形成している。（例えば特許文献１）
【０００３】
メンテナンス等により、補助リレーをソケットから抜く必要が生じた場合、電気回路が開放状態（回路停止状態）になる。このとき、周辺機器の誤動作、不動作といった制御回路への影響を防ぐため、補助リレーを抜く前に、ソケット側に設けられた外部接続端子にリード線を接続し、単数或いは複数の外部接続端子間を短絡する、所謂ジャンパー処理を行うことで、回路保全を行っている。
【先行技術文献】
【特許文献】
【０００４】
【特許文献１】特開２０００−１００３０４
【発明の概要】
【発明が解決しようとする課題】
【０００５】
ジャンパー処理によって回路保全を行う場合、ジャンパー線の接続先の誤配線や、ジャンパー線の接触不良により、予期せぬ回路短絡等の不具合が発生する恐れがあった。本発明は簡易な構成で確実に回路保全が行えると共に、試験用の擬似回路を形成することが出来る補助リレー用アダプタを提供することを目的とする。
【課題を解決するための手段】
【０００６】
上記課題を解決するために、本発明に係る補助リレー用アダプタは、補助リレーとソケットの間に位置して前記補助リレー及びソケットを接続する補助リレー用アダプタにおいて、前記補助リレーの端子と嵌合するようにアダプタケースの上面に設けられたメス型端子と、前記ソケットの端子と嵌合するようにアダプタケースの底面に設けられたオス型端子を備え、前記アダプタケースの上面には前記補助リレーを前記アダプタから取り外す際に開放状態となり、前記アダプタ内の第一接点を閉じる押圧式スイッチを備え、さらに前記アダプタケースの一側面には、前記アダプタ内の第二接点の開閉を選択できる手動スイッチを備えたことを特徴とする。
【発明の効果】
【０００７】
アダプタに設けた押圧式スイッチが、補助リレーをソケットから抜く際に押圧状態から開放されることで、これと連動するアダプタ内の第一接点が閉じるとともに、さらにアダプタに設けた手動スイッチにより、これと連動するアダプタ内の第二接点を「閉」状態に選択することで、第一、第二接点を含めたアダプタ内の回路を閉回路状態とすることができる。このため回路が開放状態となることを防ぎ、確実に回路保全が行える。さらに、アダプタに設けた手動スイッチによって回路を選択可能な構成としたため、配線工具を用いず、誤配線の恐れがない簡易な方法で回路動作テストを行うことが出来る。
【図面の簡単な説明】
【０００８】
【図１】本発明を適用した補助リレーユニットの正面図
【図２】図１の側面図
【図３】本発明に係るアダプタの正面図
【図４】図３の側面図
【図５】図１の回路図
【図６】補助リレー取り外し時の概略斜視図
【図７】補助リレー取り外し時の回路図
【発明を実施するための形態】
【実施例１】
【０００９】
以下、本発明の実施例につき適宜図面を参照しながら説明する。図１及び図２に示すように、補助リレーユニット２０は補助リレー１、アダプタ２及びソケット３により構成されている。補助リレー１はその底面に複数のオス型端子（図示せず）を設けており、それらと対応して図３、図４に示すようにアダプタ２の上面にメス型端子５が設けられている。これら補助リレー１のオス型端子及びアダプタ２のメス型端子５を嵌合することで、互いの回路を接続している。
【００１０】
後述するように、アダプタ２の上面には、アダプタ２の上方に突出するように押圧式のスイッチ６が設けられている。さらに、アダプタ２の側面には手動式スイッチ７が設けられており、アダプタの外部からアダプタに内蔵された回路が選択できるようになっている。
【００１１】
アダプタ２の底面には補助リレー１と同様に複数のオス型端子４が設けられている。ソケット３の上面にはアダプタ２のオス型端子４と対応するようにメス型端子１５（図示せず）が設けられており、これらを嵌合することで互いに回路を接続している。また、ソケット３には複数の外部端子８が設けられている。ここで補助リレー１及びソケット３は一般に市販されている標準品を用いることができる。
【００１２】
次に補助リレーユニット２０の基本的な回路構成について図５に基づいて説明する。補助リレー１内には複数の接点９及びオス型端子１４、さらにはコイル１０を備えている。接点はコイル１０への通電時に閉じている接点９ａ（以下、「Ａ接点」と称す。）と、通電時に開いている接点９ｂ（以下、「Ｂ接点」と称す。）とを複数有している。
【００１３】
アダプタ２内には、補助リレー１のオス型端子１４と対応した複数のメス型端子５を有している。また、手動式スイッチ７によって選択可能な接点１１（以下、「手動式接点」と称す。）が、補助リレー１の接点９の個数分設けられている。これら手動式接点１１は「Ａ接点側」（１１ａ）、「切」（１１ｃ）、「Ｂ接点側」（１１ｂ）をそれぞれ選択することができる。例えば手動式スイッチ７のレバーを上方に位置させると「Ａ接点側」（１１ａ）、中間に位置させると「切」（１１ｃ）、下方に位置させると「Ｂ接点側」（１１ｂ）が選択されるように設定できる。
【００１４】
さらに、押圧式スイッチ６と連動して開閉される接点１２（以下、「押圧式接点」と称す。）が、手動式接点１１を有する回路と接続されている。
【００１５】
ここで押圧式スイッチ６は、押圧子６ａと、機械的な連動機構１６により連結された押圧式接点１２と、図示を省略したが押圧子６ａを上方に押し上げ、押圧式接点１２を「閉」状態へと偏倚するバネにより構成される。押圧式スイッチ６は、補助リレー１がアダプタ２に装着されているとき、押圧子６ａがアダプタ２内に押し込まれるので、連動機構１６を介して押圧式接点１２は「開」状態となっている。
【００１６】
逆に、補助リレ１ーをアダプタ２から取り外したときは、押圧子６ａが図示しないバネによってアダプタ２の上方へ押し上げられ、これと連動する連動機構１６を介して、押圧式接点１２は「閉」状態となる。
【００１７】
次に、補助リレー１、アダプタ２、ソケット３が互いに正常に接続されている時の回路について図５を用いて説明する。図５において、補助リレー１とアダプタ２及びアダプタ２とソケット３間は、上述のようにオス型端子１４、４とメス型端子５、１５をそれぞれ嵌合することでそれぞれ電気的に接続している。なお、ここではコイル１０は通電されていない状態であるため、Ｂ接点９ｂが閉じている状態である。
【００１８】
図５中において、アダプタ２内の手動式接点１１は、「Ｂ接点側」（１１ｂ）に選択されている。一方、押圧子６ａが補助リレー１により押圧された状態となっているため、押圧式接点１２は「開」状態となっている。
【００１９】
このため、補助リレー１のＢ接点の出力情報は手動式接点１１、押圧式接点１２側を経由せず、アダプタ２及びソケット３内の通常回路Ｂ１、Ｂ２を経由して制御回路１３へ出力される。即ち、補助リレー１を接続した通常の状態では、アダプタ２内の回路は補助リレー1及びソケット３間の単なる経由点になるので、電気的には従来のアダプタ２を用いない補助リレーユニットと等価の回路が形成される。
【００２０】
次に、メンテナンスや試験等により、補助リレー１をアダプタ２から取り外す際の回路構成につき図７を用いて説明する。補助リレー１を取り外すと、押圧子６ａが上方に押し上げられ、連動機構１６のバネにより偏倚された押圧式接点１２は「閉」状態となる。またこのとき、図６に示すように押圧子６ａはアダプタ２の上方へ突出するので、押圧式接点１２が「閉」状態になっていることが外部から目視確認可能となっている。
【００２１】
さらに、手動式接点１１を「Ｂ接点側」（１１ｂ）に選択しているので回路は「閉」状態になっている。即ち、アダプタ２及びソケット３内において、手動式接点１１ｂ、押圧式接点１２及び回路Ｂ２を経由する閉回路が形成され、制御回路１３に出力される。このため、補助リレー１を取り外した場合においてアダプタ２内のＢ接点側の回路が開放状態になることを防止できる。なお、本実施例においては補助リレー１のＢ接点側の回路で閉回路を形成しているが、手動式接点１２を「Ａ接点側」（１１ａ）に選択し、補助リレー１のＡ接点側の回路において閉回路を形成することも可能である。
【００２２】
制御回路１３への出力情報としては、手動式接点１１により、「Ａ接点側」（１１ａ）、「切」（１１ｃ）、「Ｂ接点側」（１１ｂ）の任意選択が可能である。このように、回路の任意選択により擬似的回路が形成できるので、アダプタ２を回路動作テスト用としても利用することができる。
【００２３】
以上述べた本発明の構成によれば、従来のように補助リレーを取り外した際に回路が開放状態になることがなく、且つジャンパー処理を行うことなく回路保全ができる。さらに、アダプタ内に手動による選択式の接点を設けたことで、擬似的な回路を構成でき、簡易な方法で回路動作テストを行うことが出来る。
【符号の説明】
【００２４】
１    補助リレー
２    アダプタ
３    ソケット
４、１４    オス型端子
５、１５    メス型端子
６    押圧式スイッチ
６ａ  押圧子
７    手動式スイッチ
８    外部端子
９    接点
１１    手動式接点
１２    押圧式接点
１３    制御回路
１６    連動機構
２０    補助リレーユニット
【図１】
2013020861.tif 000003
【図２】
2013020861.tif 000004
【図３】
2013020861.tif 000005
【図４】
2013020861.tif 000006
【図５】
2013020861.tif 000007
【図６】
2013020861.tif 000008
【図７】
2013020861.tif 000009